(57)【要約】      （修正有）【課題】ペット用に使用した場合に、ペットの動作により複雑な方向への外力が作用したときであっても、フックが外れ難いナスカン連結具を提供する。【解決手段】ナスカン連結具は、ナスカン本体１と、この本体１の一方に装着されたリード連結用リング２と、本体１の他方に連続して設けられたフック３と、本体１から突出しつつフック先端３１までの間を進退可能に設けられた進退部材４と、この進退部材４に対してフック先端３１に向けて付勢するコイルバネ５を備える。進退部材４は先端に係入突起４１を有し、フック３には係入突起４１が係入できる係入凹部が先端に設けられている。上記係入突起４１と係入凹部を係合させることで、首輪連結用リングが、進退部材４の先端とフック先端３１との隙間に侵入した場合であっても、係入突起４１は、首輪連結用リングが外れる際の障害となり、首輪連結用リングの脱落を防止できる。【選択図】図１
0003150647.tif 000002
【実用新案登録請求の範囲】
【請求項１】
ナスカン本体と、このナスカン本体の一方に装着された環状の連結用リングと、上記ナスカン本体の他方に連続して設けられたフックと、上記ナスカン本体から突出しつつ上記フック先端までの間を進退可能に設けられた進退部材と、この進退部材に対して上記フック先端に向けて付勢する付勢手段とを備えたナスカン連結具であって、
上記進退部材は、先端に係入突起を有する進退部材であり、上記フックは、上記進退部材先端の係入突起が係入できる係入凹部を先端に設けたフックであることを特徴とするナスカン連結具。
【請求項２】
基軸方向に長尺なナスカン本体と、このナスカン本体の基軸を中心として回動自在に該ナスカン本体の一方に装着された環状の連結用リングと、上記ナスカン本体の他方に連続して設けられたフックと、上記ナスカン本体から上記フックに向かって突出し、かつ、該フック先端までの間を該ナスカン本体の基軸方向に進退可能に設けられた進退部材と、この進退部材に対して上記フック先端に向けて付勢する付勢手段とを備えたナスカン連結具であって、
上記進退部材は、先端に断面円形の係入突起を有する進退部材であり、上記フックは、上記進退部材の係入突起が係入できる係入凹部を先端に設けたフックであることを特徴とするナスカン連結具。
【請求項３】
前記係入突起は、前記進退部材の全体を所定の直径を有する断面円形に構成することにより該進退部材先端の部分的領域によって形成される係入突起であることを特徴とする請求項２に記載のナスカン連結具。
【請求項４】
前記係入突起は、円錐形または円錐台形に形成してなる係入突起であることを特徴とする請求項２に記載のナスカン連結具。
【請求項５】
前記係入突起は、その全部または一部を斜状に形成する傾斜面を有する係入突起であり、前記係入凹部は、上記係入突起の傾斜面が摺接する案内部を有する係入凹部であることを特徴とする請求項１ないし３のいずれか１項に記載のナスカン連結具。
【考案の詳細な説明】
【技術分野】
【０００１】
本考案は、いわゆるナスカン連結具に関するものであり、特に、ペットの首輪連結用リングとリード（引き紐）とを連結させる際に使用するナスカン連結具に関するものである。
【背景技術】
【０００２】
従来から周知のナスカン連結具は、ナスカン本体の一方にリード（引き紐）を連結させるためのリード連結用リングが配設されており、他方に首輪連結用リングを連結させるためのフックが設けられている構造になっている。
【０００３】
このナスカン連結具のフック部分は鉤状になっており、ナスカン本体から突出するスライドピン（進退部材）がフック先端に向かって進退し、フック先端とスライドピン先端とが当接するときフックが閉塞され、また、離隔するとき開放されるようになっている。ナスカン本体からスライドピンを進退させるために、基軸方向に深く設けられた有底孔が穿通されており、この有底孔に摺接するスライドピンと、末端にコイルバネが挿入されている。スライドピンの後端には、コイルバネが配置されており、このコイルバネがスライドピンの後端を付勢することにより、スライドピン全体がフック先端に向かって付勢されるようになっており、この付勢によって、フック開口部を閉じることができるものである。また、スライドピンの側面には、有底孔から突出する把手が設けられており、フック開口部を開ける場合には、この把手をフック先端から離隔する方向に手指で操作することで、コイルバネの付勢に抗してスライドピンを後退させることにより、開けることができる。そして、この状態を維持したままで、環状の首輪連結用リングをフック内側に挿通するのである。
【０００４】
上記首輪連結用リングに関する従来技術としては、主に取り付けを簡単にすることを目的とするものとして、スライドピンの先端に傾斜面が形成されたスナップ（特許文献１）および同様の構成による散歩ひもの連結具（特許文献２）があった。これらの考案等は、首輪連結用リングをスライドピンの傾斜面上に押圧させながら摺接することで、手指で把手を操作しなくても、首輪連結用リングをフック内側に挿通して掛止を可能にすることができるものである。
【０００５】
しかし、この種の連結具は、掛止の操作を簡便にするものであり、例えば、首輪連結用リングをフック内側に挿通した後にペットの散歩等を行っているとき、ペットの動きによっては、この首輪連結用リングに複雑な方向の外力が作用することがあり、このような場合には、ナスカン連結具のフックから首輪連結用リングが外れることがあった。その理由は、スライドピンが進退可能にすべく有底孔との間に遊びを設けていることから、この遊びがスライドピンとフックの両表面を平滑にすることができず、スライドピンの先端と、フックの先端との間に僅かな段差が生じていたため、その段差から首輪連結用リングが強く侵入することによって、スライドピンをその付勢に抗して後退させるためであった。
【０００６】
上記の問題を解消する考案として、ナスカン本体のフック側端部に把手をロックすることのできるロック用溝が設けられ、把手をロックすることにより、開閉ロッドを固定することができる構成のナスカンスナップがあった（特許文献３）。
【先行技術文献】
【特許文献】
【０００７】
【特許文献１】実開昭５５−０７９８７０号公報（３頁、図４）
【特許文献２】特開２００３−２１９７５０号公報（４頁、図１）
【特許文献３】実用新案登録第３１３９０７２号公報（４頁、図１）
【考案の概要】
【考案が解決しようとする課題】
【０００８】
しかしながら、特許文献３のナスカンスナップは、開閉ロッド（進退部材）を軸回りに僅かに回転する構造であるため、一時的に固定することができるものの、把手自体に大きな外力が作用する場合や複雑な方向の外力が作用すると、把手が開閉ロッドの軸回りに反転することがあり、ロック用溝から外れることがあり、その結果として首輪連結用リングがフック内側から外れてしまう可能性があった。
【０００９】
本考案は、上記諸点にかんがみてなされたものであって、その目的とするところは、ペット用に使用した場合に、ペットの動作により複雑な方向への外力が作用したときであっても、フックが外れ難いナスカン連結具を提供することである。
【課題を解決するための手段】
【００１０】
そこで、本考案は、ナスカン本体と、このナスカン本体の一方に装着された環状の連結用リングと、上記ナスカン本体の他方に連続して設けられたフックと、上記ナスカン本体から突出しつつ上記フック先端までの間を進退可能に設けられた進退部材と、この進退部材に対して上記フック先端に向けて付勢する付勢手段とを備えたナスカン連結具であって、上記進退部材は、先端に係入突起を有する進退部材であり、上記フックは、上記進退部材先端の係入突起が係入できる係入凹部を先端に設けたフックであることを特徴とするナスカン連結具を要旨とする。
【００１１】
上記構成によれば、進退部材の先端に形成されている係入突起が、フック先端の係入凹部に係入されることで、進退部材先端が位置決めされることとなり、進退部材表面とフック表面との間の段差の発生を防止できるものである。また、仮に、僅かな段差が生じて進退部材の先端とフック先端との間に、首輪連結用リングの厚み程度の隙間が発生した場合でも、係入突起の突起部分の一部は、係入凹部内に留まることができるため、フック開口部が開口することはないのである。
【００１２】
また、基軸方向に長尺なナスカン本体と、このナスカン本体の基軸を中心として回動自在に該ナスカン本体の一方に装着された環状の連結用リングと、上記ナスカン本体の他方に連続して設けられたフックと、上記ナスカン本体から上記フックに向かって突出し、かつ、該フック先端までの間を該ナスカン本体の基軸方向に進退可能に設けられた進退部材と、この進退部材に対して上記フック先端に向けて付勢する付勢手段とを備えたナスカン連結具であって、上記進退部材は、先端に断面円形の係入突起を有する進退部材であり、上記フックは、上記進退部材の係入突起が係入できる係入凹部を先端に設けたフックであることを特徴とするナスカン連結具をも要旨とする。
【００１３】
上記構成によれば、進退部材の位置決めができるうえ、進退部材の係入突起が係入凹部との間で円形断面の全周で当接することとなり、進退部材に対して、あらゆる角度からの外力が作用した場合においても、段差の発生を防止することができることとなる。
【００１４】
上記考案において、係入突起は、進退部材の全体を所定の直径を有する断面円形に構成することにより該進退部材先端の部分的領域によって形成される係入突起とすることもできる。
【００１５】
上記構成によれば、進退部材は、フックの係入凹部に係入できる程度の径となり、フック表面と進退部材表面には段差を生じることとなるが、フックの凹部に十分な長さで係入させることにより、進退部材の後退によるフックの開放を防止することができる。
【００１６】
また、上記係入突起は、円錐形または円錐台形に形成してなる係入突起とすることもできる。
【００１７】
上記構成によれば、進退部材の先端とフック先端との間に軸心のずれが発生した場合でも、係入突起を円錐形等にすることで、係入凹部の内面に摺接させながら係入させることができ、係入後は両部を同軸にすることができる。
【００１８】
さらに、上記各考案において、前記係入突起は、その全部または一部を斜状に形成する傾斜面を有する係入突起であり、前記係入凹部は、上記係入突起の傾斜面が摺接する案内部を有する係入凹部とすることもできる。
【００１９】
上記構成によれば、係入突起に傾斜面を形成することで、突起先端が鋭角となるため、係入の際に係入凹部内に案内されやすく挿入できる。
【考案の効果】
【００２０】
本考案によれば、進退部材の先端に係入突起を設けると同時に、フック先端に係入凹部を設けて両部を係入させることで、首輪連結用リングが、進退部材の先端とフック先端との隙間に侵入した場合であっても、上記係入突起は、首輪連結用リングが外れる際の障害となり、首輪連結用リングの脱落を防止できる。また、進退部材とフックの外径を同径とすることで、進退部材の先端とフック先端との段差を解消することができる。これにより、ペット用として使用する場合に、ペットの動作により複雑な外力がフックに作用したときであっても、首輪が容易に離脱することがない。
【図面の簡単な説明】
【００２１】
【図１】本考案の実施形態を示す正面図である。
【図２】（ａ）本考案の実施形態を示す側面図である。（ｂ）ＩＩ−ＩＩ断面図である。
【図３】第一の実施形態における進退部材の係入を示す説明図である。
【図４】（ａ）第一の実施形態における進退部材とフック先端との係合を示す説明図である。（ｂ）進退部材とフック先端との間に首輪連結用リングが侵入した場合を示す説明図である。
【図５】（ａ）第二の実施形態における係入突起の変形例を示す説明図である。（ｂ）係入突起の他の変形例を示す説明図である。
【図６】（ａ）第三の実施形態における係入突起の変形例を示す説明図である。（ｂ）係入突起の他の変形例を示す説明図である。
【図７】第四の実施形態における進退部材の係入を示す説明図である。
【考案を実施するための形態】
【００２２】
以下、本考案の実施の形態を図面に基づいて説明する。第一の実施形態におけるナスカン連結具は、図１および図２に示すように、ナスカン本体1と、このナスカン本体１の一方に装着されたリード連結用リング２と、他方に連続して設けられたフック３と、上記ナスカン本体１から突出しつつ上記フック先端３１までの間を進退可能に設けられた進退部材４と、この進退部材４を上記フック先端３１に向けて付勢するコイルバネ５とから構成されている。
【００２３】
ナスカン本体１は、略円柱状に形成され、基軸方向に長尺に設けられている。このナスカン本体１の一方には、リード（引き紐）を取り付けるために環状の連結用リング２が装着され、ナスカン本体１の基軸を中心として回動自在になっている。他方には、ナスカン本体１の基軸に連続しつつ鉤状に湾曲しているフック３が設けられている。また、ナスカン本体１には、フック先端３１に向かって開口している有底孔１１が設けられており、この有底孔１１内に進退部材４とコイルバネ５が挿入されている。この進退部材４は、全体として段状の円柱形に形成され、先端は本体部分よりも小径の断面円形に形成された係入突起４１が設けられている。上記有底孔１１に設置された進退部材の後端側にはコイルバネ５が配置されるのである。コイルバネ５は、圧縮バネであり、有底孔１１内の底部に位置し、進退部材４によって予め押圧された状態で配設されており、このコイルバネ５の反発により、進退部材４はフック先端３１に向かって付勢することができるのである。そして、この付勢力により、進退部材４の先端をフック先端３１に当接させることが可能である。フック先端３１には、係入突起４１が係入できる係入凹部３２が設けられており、上記付勢による進退部材４の前進時に、係入突起４１が係入凹部３２に没することができるのである。係入凹部３２は、フック先端３１に設けられた有底孔となっており、進退部材の係入突起４１が係入可能な孔径になっている。
【００２４】
なお、進退部材４の側面には、把手４２が設けられ、この把手４２は、ナスカン本体１の溝状のスリット１２から外方に突出するように配置されている（図２参照）。
【００２５】
次に、係入突起４１と係入凹部３２の係合について説明する。図３に示すように、係入突起４１は、円柱形に形成されており、進退部材４の本体部分の外径よりも小径に形成されている。一方、係入凹部３２は、係入突起４１を係入させるために、円柱形の有底孔が形成されている。係入突起４１の突起部分の長さＨは、フック開口部ＯＰを容易に開口させないためにも、首輪連結用リング６の肉厚よりも長くするほうが好適である。このようにすることで、進退部材４の先端とフック先端３１との間に首輪連結用リング６が侵入した場合でも、係入突起４１の突起の一部が係入凹部３２に係入されている限り、首輪連結用リング６がフック内側に留まることができるため、首輪連結用リング６がナスカン連結具から外れることはないのである。また、係入突起４１と係入凹部３２の係合により、係入突起４１の軸心と係入凹部３２の軸心を同軸とすることができるため、進退部材４の外径とフック先端３１の外径とを同径としたときには、進退部材４とフック先端３１との段差も解消することができるのである。
【００２６】
次に、進退部材４の作動態様について説明する。図２に示すように、進退部材４は、有底孔１１に挿入され、基軸方向にのみ進退可能になっている。このとき、進退部材４は、コイルバネ５に付勢されることにより、進退部材４の先端とフック先端３１とは当接した状態にあるので、ナスカン連結具の使用前にはフック開口部ＯＰは閉じられた状態になっている。フック３を開口させるためには、進退部材４の外周側面に突出して形成された把手４２を手指で操作して移動させる。この把手４２は、ナスカン本体１側面の基軸方向に形成された溝状のスリット１２上を移動し、把手４２に手指を引掛けて、コイルバネ５が進退部材４を付勢する力とは対抗する力を把手４２に加えることによって、フック３を開口させることができる。この開口状態を維持しつつ、首輪連結用リング６をフック３内側に挿通することにより、首輪連結用リング６の掛止は完了する。そして、把手４２から手指を離すことで、コイルバネ５に付勢された進退部材４の先端は、再びフック３の先端に当接しつつ付勢されることとなり、フック開口部ＯＰを閉じることができるので、首輪連結用リング６を連結することが可能となるのである。
【００２７】
このように連結された首輪連結用リング６は、図４（ａ）に示すように、進退部材４の先端とフック先端３１が係合している状態において、両部は同径に形成されているため、この進退部材４の表面とフック先端３１の表面に段差も形成されず、平滑な状態になっている。これにより、フック内側に挿通された首輪連結リング６が、進退部材４の先端とフック先端３１の当接位置に移動した場合でも、引っ掛かることもなく、フック開口部ＯＰを開かせることがないのである。
【００２８】
また、図４（ｂ）に示すように、首輪連結用リング６に外力がかかって、進退部材４の先端とフック先端３１との間に侵入した場合であっても、係入突起４１の突起の一部が係入凹部３２の有底孔内に留まることができるため、首輪連結用リング６がフック内側から外れる際の障害となり、この場合であっても、フック開口部ＯＰを開かせることはないのである。
【００２９】
次に、第二の実施形態について説明する。本実施形態は、図５（ａ）に示すように、進退部材１０４の先端に設けられている係入突起１４１は、円錐形に形成されており、フック先端の係入凹部１３２は、円錐形の有底孔が形成されている。この係入突起１４１の軸心は、進退部材１０４の軸心と同軸となるように構成され、係入凹部１３２の軸心は、フック先端１３１の軸心と同軸となるように構成されている。
【００３０】
係入突起１４１は、係入凹部１３２に係入されるとき、係入突起１４１の頂点または側面が、係入凹部１３２における有底孔の内面に摺接しつつ係入されるので、係入後においては、係入突起１４１の軸心と係入凹部１３２の軸心とを同軸に位置させることが可能である。これにより、進退部材１０４とフック先端１３１とを同軸に位置させることができる。このとき、進退部材１０４先端の外径とフック先端１３１の外径を同径とすることで、両先端部同士を係合した場合でも、進退部材１０４先端の表面とフック先端１３２の表面との段差が生じることはないので、首輪連結用リングが、段差に引っ掛かることはないのである。
【００３１】
また、図５（ｂ）に示すように、係入突起２４１を円錐台形に形成した場合でも、上述の第二の実施形態と同様の効果を得ることができる。すなわち、係入突起２４１が円錐台形であるから、側面は進退部材２０４の先端に向かって、先細り状に勾配を有しており、係入凹部２３２内に摺接しつつ、軸心を同軸に案内することができるのである。なお、第二の実施形態は円錐形であったため、係入突起を長尺に構成する際、尖端が鋭角となるが、本実施形態の場合は、長尺な構成とする場合でも、そのような尖端が形成されない。
【００３２】
さらに、第三の実施形態について説明する。図６（ａ）に示すように、本実施形態は、進退部材３０４の先端の係入突起３４１に傾斜面が形成されているものである。この係入突起３４１の傾斜面は、軸心に対して鋭角方向に形成されており、係入凹部３３２は、係入突起３４１の形状に対応した有底孔であって、この底部は、係入突起３４１を係入させるため、鋭角な傾斜面を有するものとなっている。係入突起３４１は、鋭角な先端部分から、係入凹部３３２の有底孔に係入され、係入突起３４１の傾斜面と係入凹部３３２内の傾斜面が係合されるのである。このとき、係入突起３４１の軸心は、進退部材３０４の軸心と同軸になっており、係入凹部３３２の軸心は、フック先端３３１と同軸になっている。係入突起３４１と係入凹部３３２とを係合させることで、進退部材３０４とフック先端３３１とを同軸にさせることができる。進退部材３０４先端の外径とフック先端３３１の外径を同径とした場合には、第二の実施形態と同様に、進退部材３０４先端の表面とフック先端３３１の表面との段差が生じることはないのである。これにより、首輪連結用リングが、段差に引っ掛かることはないのである。
【００３３】
なお、傾斜面は係入突起の一部に設けてもよいが、例えば、図６（ｂ）に示すように、係入突起４４１の全部に傾斜面を形成した場合でも、同様の効果を得ることができるのである。
【００３４】
次に、第四の実施形態について説明する。図７に示すように、本実施形態は、進退部材５０４先端の部分的領域が係入突起５４１として機能する構成となっている。すなわち、係入突起５４１が係入凹部５３２に係入されるとき、突起の係入部分が部分的領域となる。詳細には、係入突起５４１の突起全体が同径の円柱形を形成しており、係入突起５４１の先端を係入凹部５３２の有底孔に係入する構成となっている。このとき、係入突起５４１が係入凹部５３２に係入されると、進退部材５０４先端の表面とフック先端５３１の表面との間に段差が発生することになるが、係入突起５４１が係入凹部５３２に深く係入されることで、進退部材５０４に付勢されている付勢力とは、対抗する力が付与されても、係入突起５４１の係入によりフック３から首輪連結用リングが外れることはないのである。
【００３５】
本発明の実施形態は上記のとおりであるが、本発明の趣旨を逸脱しない範囲において種々の態様をとることができる。例えば、係入突起を断面円形とした形態については、進退部材の軸回りに回転させることができるため、把手の後退を阻止するロック用溝を設ける従来例との併用も可能である。
【符号の説明】
【００３６】
１  ナスカン本体
２  リード連結用リング
３  フック
４，１０４，２０４，３０４，４０４，５０４  進退部材
５  コイルバネ
６  首輪連結用リング
１１  有底孔
１２  スリット
３１，１３１，２３１，３３１，４３１，５３１  フック先端
３２，１３２，２３２，３３２，４３２，５３２  係入凹部
４１，１４１，２４１，３４１，４４１，５４１  係入突起
４２  把手
Ｈ  突起長さ
ＯＰ  フック開口部
【図１】
0003150647.tif 000003
【図２】
0003150647.tif 000004
【図３】
0003150647.tif 000005
【図４】
0003150647.tif 000006
【図５】
0003150647.tif 000007
【図６】
0003150647.tif 000008
【図７】
0003150647.tif 000009